(57)【要約】【課題】モップのダスト払拭面に付着しているダストを吸引除去する機能と、モップによって掃き集められた塵埃等を吸引して捕集する機能とを、１台の小型な装置にて、簡単に切換ながら行うことができ、更には、モップの載置台としても使用できる、モップクリーナーを、提供すること。【解決手段】上面２１が第１吸引口３を有し、前面２２が下縁部に第２吸引口４を有している、筐体２と、吸引装置、集塵部、吸引通路、及び制御部と、第１スイッチ７１、第２スイッチ７２、及び切換レバーの摘み６６１と、を備えており、吸引通路が、第１吸引口３から集塵部へ至る吸引通路、及び、第２吸引口４から集塵部へ至る吸引通路の、一方を閉塞させるとともに他方を開通させるよう開閉の切換を行う、開閉切換機構６を備えており、制御部は、スイッチが操作されると、所定時間だけ吸引装置を作動させるよう制御するようになっていることを特徴としている。【選択図】図１
2007151655.tif 000002
【特許請求の範囲】
【請求項１】
上面が第１吸引口を有し、前面が下縁部に第２吸引口を有している、筐体と、
筐体内部に設けられた、吸引装置、集塵部、吸引通路、及び制御部と、
筐体外部に露出している、スイッチ、及び切換レバーの摘みと、を備えており、
吸引通路が、第１吸引口及び第２吸引口を集塵部を経て吸引装置へ通じさせるよう設けられており、且つ、第１吸引口から集塵部へ至る吸引通路、及び、第２吸引口から集塵部へ至る吸引通路の、一方を閉塞させるとともに他方を開通させるよう開閉の切換を行う、開閉切換機構を備えており、
開閉切換機構は、切換レバーの操作によって開閉の切換を行うようになっており、
制御部は、スイッチが操作されると、所定時間だけ吸引装置を作動させるよう制御するようになっていることを特徴とするモップクリーナー。
【請求項２】
開閉切換機構が、第１吸引口及び第２吸引口を共に集塵部に通じさせるための連通室と、連通室内にて切換レバーの操作によって上下方向に回動する弁部と、を備えており、
弁部は、一方向に回動すると、第１吸引口から集塵部へ至る吸引通路を閉塞するとともに第２吸引口から集塵部へ至る吸引通路を開通させ、他方向に回動すると、第１吸引口から集塵部へ至る吸引通路を開通させるとともに第２吸引口から集塵部へ至る吸引通路を閉塞するようになっている、請求項１記載のモップクリーナー。
【請求項３】
スイッチが、上面に露出して設けられた押し込み式の第１スイッチ、及び、第２吸引口から露出して設けられた押し込み式の第２スイッチ、であり、モップによって押し込み可能となっている、請求項１記載のモップクリーナー。
【請求項４】
第１吸引口が、上面の長手方向の略中央に、幅方向に延びて設けられており、
第１吸引口の長手方向の両側に、吸引補助構造部が設けられており、
吸引補助構造部が、第１吸引口の長手方向の両側にて幅方向に並設された、長手方向に延びた多数の平行な突片と、隣接する突片間に設けられた単位構造部とで、構成されており、
単位構造部が、上面の表面部から少し窪んで設けられており、凸部と、凹部と、リブと、可撓性板と、第１吸引孔と、第２吸引孔と、第１吸引溝と、第２吸引溝とで、構成されており、凸部は、上記表面部側から第１吸引口側に向けて漸次盛り上がって凹部に至っており、第１吸引孔は、凸部の上記表面部側に、吸引通路に連通して形成されており、第２吸引孔は、凸部の凹部側に、吸引通路に連通して形成されており、第１吸引溝は、凸部の両側を通って凹部に至っており、第２吸引溝は、第２吸引孔から凹部に向けて斜めに分岐して延びており、可撓性板は、凹部の第１吸引口側に、隣接する突片間を塞ぐよう立設されており、可撓性板の両縁と突片との間には、隙間が設けられている、請求項１記載のモップクリーナー。
【発明の詳細な説明】
【技術分野】
【０００１】
本発明は、モップのダスト払拭面に付着しているダストをダスト払拭面から吸引して除去することを主目的としたモップクリーナーに関するものである。
【背景技術】
【０００２】
特許文献１には、モップのダスト払拭面に付着しているダストを除去する装置が示されている。この装置は、ダスト払拭面を吸引板に対して摺動させながら、掃除機によって、吸引板の裏面側から、ダスト払拭面に付着しているダストを吸引除去するようになっている。
【０００３】
また、特許文献２には、モップによって掃き集められた塵埃等を吸引して捕集する集塵装置が示されている。
【０００４】
更に、特許文献３には、真空掃除機の吸引力を向上させる構造部を近傍に備えた吸引口が示されている。
【特許文献１】特開平９−１７３２６４号公報
【特許文献２】特開２００３−２１０３６１号公報
【特許文献３】特開２００１−８８６７号公報
【発明の開示】
【発明が解決しようとする課題】
【０００５】
特許文献１の装置では、ダスト払拭面からのダストの吸引除去を行うために、その都度、掃除機の吸引ホースをパッキングを介して装置本体に連結する必要があり、作業が面倒である。
【０００６】
また、特許文献１の装置では、モップによって掃き集められた塵埃等を吸引して捕集することができず、特許文献２の装置では、モップのダスト払拭面に付着しているダストを除去することができない。しかも、特許文献１、２の装置は、いずれも大掛かりなものである。
【０００７】
本発明は、モップのダスト払拭面に付着しているダストを吸引除去する機能と、モップによって掃き集められた塵埃等を吸引して捕集する機能とを、１台の小型な装置にて、簡単に切換ながら行うことができ、更には、モップの載置台としても使用できる、モップクリーナーを、提供することを目的としている。
【課題を解決するための手段】
【０００８】
請求項１記載の発明は、上面が第１吸引口を有し、前面が下縁部に第２吸引口を有している、筐体と、筐体内部に設けられた、吸引装置、集塵部、吸引通路、及び制御部と、筐体外部に露出している、スイッチ、及び切換レバーの摘みと、を備えており、吸引通路が、第１吸引口及び第２吸引口を集塵部を経て吸引装置へ通じさせるよう設けられており、且つ、第１吸引口から集塵部へ至る吸引通路、及び、第２吸引口から集塵部へ至る吸引通路の、一方を閉塞させるとともに他方を開通させるよう開閉の切換を行う、開閉切換機構を備えており、開閉切換機構は、切換レバーの操作によって開閉の切換を行うようになっており、制御部は、スイッチが操作されると、所定時間だけ吸引装置を作動させるよう制御するようになっていることを特徴としている。
【０００９】
請求項２記載の発明は、請求項１記載の発明において、開閉切換機構が、第１吸引口及び第２吸引口を共に集塵部に通じさせるための連通室と、連通室内にて切換レバーの操作によって上下方向に回動する弁部と、を備えており、弁部は、一方向に回動すると、第１吸引口から集塵部へ至る吸引通路を閉塞するとともに第２吸引口から集塵部へ至る吸引通路を開通させ、他方向に回動すると、第１吸引口から集塵部へ至る吸引通路を開通させるとともに第２吸引口から集塵部へ至る吸引通路を閉塞するようになっているものである。
【００１０】
請求項３記載の発明は、請求項１記載の発明において、スイッチが、上面に露出して設けられた押し込み式の第１スイッチ、及び、第２吸引口から露出して設けられた押し込み式の第２スイッチ、であり、モップによって押し込み可能となっているものである。
【００１１】
請求項４記載の発明は、請求項１記載の発明において、第１吸引口が、上面の長手方向の略中央に、幅方向に延びて設けられており、第１吸引口の長手方向の両側に、吸引補助構造部が設けられており、吸引補助構造部が、第１吸引口の長手方向の両側にて幅方向に並設された、長手方向に延びた多数の平行な突片と、隣接する突片間に設けられた単位構造部とで、構成されており、単位構造部が、上面の表面部から少し窪んで設けられており、凸部と、凹部と、リブと、可撓性板と、第１吸引孔と、第２吸引孔と、第１吸引溝と、第２吸引溝とで、構成されており、凸部は、上記表面部側から第１吸引口側に向けて漸次盛り上がって凹部に至っており、第１吸引孔は、凸部の上記表面部側に、吸引通路に連通して形成されており、第２吸引孔は、凸部の凹部側に、吸引通路に連通して形成されており、第１吸引溝は、凸部の両側を通って凹部に至っており、第２吸引溝は、第２吸引孔から凹部に向けて斜めに分岐して延びており、可撓性板は、凹部の第１吸引口側に、隣接する突片間を塞ぐよう立設されており、可撓性板の両縁と突片との間には、隙間が設けられているものである。
【発明の効果】
【００１２】
請求項１記載の発明よれば、切換レバーを操作して、第１吸引口から集塵部へ至る吸引通路を開通させ、スイッチを操作して吸引装置を作動させると、第１吸引口から集塵部を経て吸引装置へ至る空気の流れが生じるので、モップのダスト払拭面を上面に対して摺動させることにより、ダスト払拭面に付着しているダストを第１吸引口から吸引して除去できる。また、切換レバーを操作して、第２吸引口から集塵部へ至る吸引通路を開通させ、スイッチを操作して吸引装置を作動させると、第２吸引口から集塵部を経て吸引装置へ至る空気の流れが生じるので、モップによって第２吸引口へ向けて塵埃等を掃き集めることにより、塵埃を第２吸引口から吸引して集塵部にて捕集できる。更に、モップを、ダスト払拭面を上面に当接させた状態で、上面上に載置できる。したがって、本発明のモップクリーナーは、１台で、上述の３つの用途に使用できるので、非常に便利である。
【００１３】
請求項２記載の発明によれば、切換レバーの操作によって、ダスト払拭面に付着しているダストを吸引除去する用途、及び、モップによって掃き集められた塵埃等を吸引して捕集する用途、の任意の一方を容易に選択できるので、容易に使用できる。
【００１４】
請求項３記載の発明によれば、ダスト払拭面に付着しているダストを吸引除去する用途、及び、モップによって掃き集められた塵埃等を吸引して捕集する用途、の作業を行う際に、第１スイッチ及び第２スイッチをモップによって簡単にオンできるので、この点からも容易に使用できる。
【００１５】
請求項４記載の発明によれば、エジェクター効果によって、ダスト払拭面に付着しているダストを強く吸引して除去でき、また、第１吸引口への空気の流れを確保することによって、第１吸引口がダスト払拭面のパイル等で塞がれてダスト払拭面が上面に対して摺動しにくくなるのを、防止できる。
【発明を実施するための最良の形態】
【００１６】
図１は、本発明のモップクリーナーの斜視図である。このモップクリーナー１は、筐体２の内部に各種部品を収納し且つある部品の一部を筐体２の外部に露出させて、構成されている。
【００１７】
筐体２は、略直方体であり、上面２１、前面２２、及び左側面２３等を有している。上面２１は、水平面であり、長手方向（図中Ｙ方向）中央に第１吸引口３を有している。第１吸引口３は、幅方向（図中Ｘ方向）に細長く延びている。第１吸引口３の長手方向両側には、吸引補助構造部３０が設けられている。なお、吸引補助構造部３０は、図１では簡素化して示しており、詳しくは後述する。上面２１は、幅方向両側の縁に、僅かに起立して長手方向に延びたリブ２１１を有している。上面２１は、対象とするモップのダスト払拭面の面積と同等以上の面積を有している。前面２２は、下半分が前方に僅かに膨らんだ平面である。前面２２は、下縁部に、第２吸引口４を有している。第２吸引口４の開口は、長手方向に延びている。
【００１８】
図２はモップクリーナー１の内部構造を示す斜視図、図３は図２のIII矢視図である。筐体２の内部には、吸引装置５１、集塵部５２、吸引通路５３１、５３２、５３３、５３４、及び制御部５４が、収納されている。吸引装置５１は、例えば吸引ポンプである。集塵部５２は、例えば袋状の集塵フィルターを収容した部屋である。集塵フィルターは、左側面２３の開閉扉２３１を開けて交換可能である。
【００１９】
第１吸引口３は、吸引通路５３１及び吸引通路５３３を経て集塵部５２に連通している。第２吸引口４は、吸引通路５３２及び吸引通路５３３を経て集塵部５２に連通している。集塵部５２は、吸引通路５３４を経て吸引装置５１に連通している。吸引通路５３１、５３２と吸引通路５３３との間には、開閉切換機構６が設けられている。
【００２０】
図４は開閉切換機構６のみを示す斜視図、図５は図４のＶ−Ｖ断面図である。両図に示すように、開閉切換機構６は、吸引通路５３１及び吸引通路５３２を共に吸引通路５３３に連通させるための連通室６１と、連通室６１内にて吸引通路５３１側に設けられた第１磁石６２１及び吸引通路５３２側に設けられた第２磁石６２２と、連通室６１内にて回動軸６４回りに上下方向に回動する弁部６５と、回動軸６４に連結された切換レバー６６と、回動軸６４を下方向に回動するよう付勢する第１スプリング６７１及び第２スプリング６７２と、を備えている。そして、開閉切換機構６は、切換レバー６６を上下方向に回動させることにより、弁部６４を上下方向に回動させて、図５に実線で示すように吸引通路５３１を閉塞したり図５に一点鎖線で示すように吸引通路５３２を閉塞したりするようになっている。すなわち、弁部６４は、上方向に回動すると、第１磁石６２１に吸着されて吸引通路５３１を閉塞し、一方では、吸引通路５３２を開通させる。また、弁部６４は、下方向に回動すると、第２磁石６２２に吸着されて吸引通路５３２を閉塞し、吸引通路５３１を開通させる。
【００２１】
筐体２の上面２１には、長手方向の一方側寄りに、制御部５４に接続している第１スイッチ７１が設けられている。第１スイッチ７１は、上面２１表面に僅かに突出して設けられており、押し込み式のスイッチであり、上面２１表面より下方まで押し込まれるよう設けられている。また、第２吸引口４の内部の長手方向の一方側寄りには、制御部５４に接続している第２スイッチ７２が設けられている。第２スイッチ７２は、第２吸引口４の外まで僅かに突出して設けられており、押し込み式のスイッチであり、第２吸引口４の内部まで押し込まれるよう設けられている。
【００２２】
制御部５４は、第１スイッチ７１又は第２スイッチ７２がオンされると、吸引装置５１を所定時間だけ作動させるよう制御するようになっている。
【００２３】
前面２２には、切換レバー６６の摘み６６１が突出している。摘み６６１は、円弧状の長孔２２１内を上下方向に移動可能となっている。
【００２４】
図６は吸引補助構造部３０の拡大斜視部分図、図７は図６のVII矢視図である。吸引補助構造部３０は、第１吸引口３の長手方向の両側にて幅方向に並設された、長手方向に延びた多数の平行な突片３１と、隣接する突片３１間に設けられた単位構造部３２とで、構成されている。吸引補助構造部３０は、上面２１の長手方向両側の表面部２１２から少し窪んで設けられている。突片３１の高さは、表面部２１２より少し低く設定されている。単位構造部３２は、凸部３２１と、凹部３２２と、リブ３２３と、可撓性板３２４と、第１吸引孔３２５と、第２吸引孔３２６と、第１吸引溝３２７と、第２吸引溝３２８とで、構成されている。凸部３２１は、表面部２１２側から第１吸引口３側に向けて漸次盛り上がっており、凹部３２２に至っている。第１吸引孔３２５は、凸部３２１の表面部２１２側に、吸引通路５３１に連通して形成されており、第２吸引孔３２６は、凸部３２１の凹部３２２側に、吸引通路５３１に連通して形成されている。第１吸引溝３２７は、凸部３２１の両側を通って凹部３２２に至っている。第２吸引溝３２８は、第２吸引孔３２６から凹部３２２に向けて斜めに分岐して延びている。可撓性板３２４は、凹部３２２の第１吸引口３側に、隣接する突片３１間を塞ぐよう立設されており、可撓性板３２４の両縁と突片３１との間には、僅かな隙間３２９が設けられている。可撓性板３２４の高さは、突片３１より少し高く設定されており、表面部２１２と概ね同じ高さに設定されている。可撓性板３２４は、例えばゴム板であり、そのゴム材料は、例えばＮＢＲ、ＥＰＤＭ等である。リブ３２２は、凹部３２２内にて、可撓性板３２４と凸部３２１との間を長手方向に延びている。リブ３２２の高さは、凸部３２１より低く設定されている。
【００２５】
上記構成のモップクリーナー１は、次の（１）〜（３）の３つの用途に使用できる。
（１）モップのダスト払拭面に付着しているダストを吸引除去する用途：
この場合は、次のように使用する。まず、摘み６６１を摘んで、切換レバー６６を下方向に回動させて、弁部６４を下方向に回動させ、図５に一点鎖線で示すように、弁部６４によって吸引通路５３２を閉塞する。次に、図８に示すように、モップ９のダスト払拭面９１を上面２１に当接させ、ダスト払拭面９１によって第１スイッチ７１を押し下げると共に、ダスト払拭面９１を、矢印Ａに示すように、好ましくはダスト払拭面９１の長手方向の全面が第１吸引口３上を通過するように、上面２１に対して摺動させる。このとき、第１スイッチ７１が押し下げられたことにより、制御部５４が吸引装置５１を所定時間作動させる。吸引装置５１が作動すると、第１吸引口３から吸引通路５３１、５３３、集塵室５２、及び吸引通路５３４を経て吸引装置５４へ至る空気の流れが生じ、これにより、第１吸引口３から、ダスト払拭面９１に付着しているダストが吸引除去される。第１吸引口３から吸引されたダストは、吸引通路５３１、５３３を経て、集塵室５２にて、集塵フィルター（図示せず）に捕捉される。吸引装置５１は、所定時間作動した後、停止する。
【００２６】
（２）モップによって掃き集められた塵埃等を吸引して捕集する用途：
この場合は、次のように使用する。まず、摘み６６１を摘んで、切換レバー６６を上方向に回動させて、弁部６４を上方向に回動させ、図５に実線で示すように、弁部６４によって吸引通路５３１を閉塞する。次に、モップ９によって第２スイッチ７２を押し込むと共に、図９に示すように、モップ９によって塵埃等１００を第２吸引口４に向かって掃き集める。このとき、第２スイッチ７２が押し込まれたことにより、制御部５４が吸引装置５１を所定時間作動させる。吸引装置５１が作動すると、第２吸引口４から吸引通路５３２、５３３、集塵室５２、及び吸引通路５３４を経て吸引装置５４へ至る空気の流れが生じ、これにより、第２吸引口４から、掃き集められた塵埃等１００が吸引される。第２吸引口４から吸引された塵埃等１００は、吸引通路５３２、５３３を経て、集塵室５２にて、集塵フィルター（図示せず）に捕捉される。吸引装置５１は、所定時間作動した後、停止する。
【００２７】
（３）モップを載置する用途：
上記（１）のように使用して、吸引装置５１が停止した後は、図１０に示すように、モップ９を、ダスト払拭面９１を上面２１に当接させた状態で、上面２１上に載置できる。
【００２８】
以上のように、上記構成のモップクリーナー１は、１台で、上記（１）〜（３）の３つの用途に使用できるので、非常に便利である。しかも、上記構成のモップクリーナー１は、切換レバー６６の操作によって、上記（１）及び（２）の用途の任意の一方を容易に選択できるので、容易に使用できる。更に、上記構成のモップクリーナー１は、上記（１）及び（２）の用途の作業を行う際に、第１スイッチ７１及び第２スイッチ７２をモップ９によって簡単にオンできるので、この点からも容易に使用できる。
【００２９】
更に、上記構成のモップクリーナー１は、吸引補助構造部３０を備えているので、上記（１）の用途において、ダスト払拭面９１に付着しているダストが、円滑に且つ効率良く吸引除去される。すなわち、吸引補助構造部３０は、次のような作用効果を発揮する。
【００３０】
（ａ）突片３１によって、隣接する突片３１間に、第１吸引口３に至る空気流入路が確保される。このため、ダスト払拭面９１がパイルで構成されている場合において、パイルが第１吸引口３に吸い込まれて第１吸引口３を塞いでしまうことが、防止される。ちなみに、パイルが第１吸引口３を塞いでしまうと、ダスト払拭面９１が上面２１に強く引き付けられ、ダスト払拭面９１を上面２１に対して摺動させることが不可能となり、したがって、ダスト払拭面９１からのダストの吸引除去が不可能となる。
【００３１】
（ｂ）可撓性板３２４の両縁と突片３１との間に、僅かな隙間３２９が設けられているので、隣接する突片３１間を流れる空気が、隙間３２９を高速で通過する。したがって、この高速の空気流によって、エジェクター効果が生じ、これにより、ダスト払拭面９１に付着しているダストが強く吸引されて除去される。しかも、可撓性板３２４に、ダスト払拭面９１を構成する長いパイル等が接触しても、可撓性板３２４は、凹部３２２に設けられており且つ変形自在であるので、長いパイル等によって変形されながらも、確実にエジェクター効果を生じさせることができる。
【００３２】
（ｃ）第１吸引口３が、ダスト払拭面９１を構成するパイル等で塞がれそうになっても、隣接する突片３１間において、空気は、第１吸引孔３２５、第２吸引孔３２６、第１吸引溝３２７、及び第２吸引溝３２８を通って、確実に流れるので、第１吸引口３が塞がれるのが防止される。したがって、ダスト払拭面９１が第１吸引口３に強く吸引されて上面２１に対して摺動しにくくなることが、防止される。
【００３３】
なお、第１吸引口３は、上面２１の長手方向の中央に限らず、長手方向の一方側よりに設けてもよい。
【産業上の利用可能性】
【００３４】
本発明のモップクリーナーは、１台で、モップのダスト払拭面に付着しているダストを吸引除去でき、しかも、モップによって掃き集められた塵埃等を吸引して捕集でき、更に、モップの載置台としても使用できるので、産業上の利用価値が大である。
【図面の簡単な説明】
【００３５】
【図１】本発明のモップクリーナーの斜視図である。
【図２】図１のモップクリーナーの内部構造を示す斜視図である。
【図３】図２のIII矢視図である。
【図４】図１のモップクリーナーの開閉切換機構のみを示す斜視図である。
【図５】図４のＶ−Ｖ断面図である。
【図６】図１のモップクリーナーの吸引補助構造部の拡大斜視部分図である。
【図７】図６のVII矢視図である。
【図８】図１のモップクリーナーの第１の用途を示す正面図である。
【図９】図１のモップクリーナーの第２の用途を示す側面図である。
【図１０】図１のモップクリーナーの第３の用途を示す正面図である。
【符号の説明】
【００３６】
１  モップクリーナー  ２  筐体  ２１  上面  ２２  前面  ３  第１吸引口  ３０  吸引補助構造部  ３１  突片  ３２  単位構造部  ３２１  凸部  ３２２  凹部  ３２３  リブ  ３２４  可撓性板  ３２５  第１吸引孔  ３２６  第２吸引孔  ３２７  第１吸引溝  ３２８  第２吸引溝  ３２９  隙間  ４  第２吸引口  ５１  吸引装置  ５２  集塵部  ５３１、５３２、５３３、５３４  吸引通路  ５４  制御部  ６  開閉切換機構  ６１  連通室  ６６  切換レバー  ６６１  摘み
【図１】
2007151655.tif 000003
【図２】
2007151655.tif 000004
【図３】
2007151655.tif 000005
【図４】
2007151655.tif 000006
【図５】
2007151655.tif 000007
【図６】
2007151655.tif 000008
【図７】
2007151655.tif 000009
【図８】
2007151655.tif 000010
【図９】
2007151655.tif 000011
【図１０】
2007151655.tif 000012